(57)【要約】  推薦システムに対する明示的ユーザプロファイルの初期設定の間に、ユーザは、提案を生成するために推薦システムにより用いられることが可能である属性の全部の集合から１つ又はそれ以上の常に繰り返す属性及び／又は１つ又はそれ以上の属性の副集合のみを評価する。従って、いずれの時間に推薦システムが関連する対象のリストを見ながら、ユーザは、特定のリストアイテムに関連する属性全てについての個々の評価を見ることが可能である。明示的プロファイルは、ユーザにより入力された新しい値をもつ現時点の評価値への置き換え、又は、アイテムと関連する評価値の追加により更新される。ユーザの視聴履歴に基づいて暗黙的評価により明示的プロファイルを補うことが可能である。
2005515573.tif 000002
【特許請求の範囲】
【請求項１】
複数の属性についてのユーザ固有評価を有する明示的ユーザプロファイルであって、ユーザは前記明示的ユーザプロファイルの初期設定の間に前記複数の属性の副集合のみに対して評価値を与える、明示的ユーザプロファイル；
複数の検索アイテムの各々を評価する上で前記明示的ユーザプロファイルを用いる推薦システム；並びに
前記明示的ユーザプロファイルの初期設定の後、前記推薦システムによる評価に従属しているアイテムに関する情報をみながら、前記アイテムに関連する前記複数の属性の各々に対する評価値を前記ユーザが評価することを可能にする制御器；
を有することを特徴とする検索システム。
【請求項２】
請求項１に記載の検索システムであって：
前記複数の属性における属性の１つ又はそれ以上の上位集合；或いは
検索アイテム全てのスコアを規定する有効値を有する１つ又はそれ以上の属性；
のみに対して、前記ユーザは前記明示的ユーザプロファイルの初期設定の間に評価値を生成する、ことを特徴とする検索システム。
【請求項３】
請求項１に記載の検索システムであって、評価値は前記ユーザについてのコンテンツ使用履歴に基づいて前記明示的ユーザプロファイルに含まれる、ことを特徴とする検索システム。
【請求項４】
請求項１に記載の検索システムであって、前記推薦システムは検索の間に前記複数の検索アイテムを評価する上で前記明示的ユーザプロファイルにおける現時点の値を使用する、ことを特徴とする検索システム。
【請求項５】
請求項１に記載の検索システムであって、前記アイテムに関連する属性についての評価値を前記ユーザが入力することに対応して、前記制御器は：
前記属性が前記明示的ユーザプロファイルにおいて前に評価された場合、前記明示的ユーザプロファイルに対して前記属性と関連する評価値を加える；又は
前記属性が前記明示的ユーザプロファイルにおいて前に評価された場合、前記明示的ユーザプロファイルにおける前記属性に関連する前記評価値を更新する；
ことを特徴とする検索システム。
【請求項６】
請求項１に記載の検索システムであって、前記制御器は、ユーザが：
前記アイテムに関連する属性全てに対して、もしあるとすれば、評価をみること；
前記明示的ユーザプロファイルにおいて評価値を前に有していない前記アイテムに関連する属性についての評価値を加えること；並びに
前記アイテムに関連する属性のための前記明示的ユーザプロファイルにおける既存の評価値を更新すること；
を可能にする、ことを特徴とする検索システム。
【請求項７】
請求項１に記載の前記検索システム；並びに
コンテンツと該コンテンツに関する複数の情報アイテムとを受信するための入力；
を有することを特徴とするコンテンツ受信システム。
【請求項８】
情報アイテムを検索する方法であって：
コンテンツと該コンテンツに関する複数の情報アイテムとを受信する段階；
前記複数の情報アイテムの各々を評価する上で複数の属性についてのユーザ固有評価値を有する明示的ユーザプロファイルを用いる段階であって、ユーザは、前記明示的ユーザプロファイルの初期設定の間に前記複数の属性の副集合のみについての評価値を与える段階；並びに
前記明示的ユーザプロファイルの初期設定の後、情報アイテムをみながら、ユーザが前記アイテムに関連する前記複数の属性の各々についての評価値を操作することを可能にする段階；
を有することを特徴とする方法。
【請求項９】
請求項８に記載の方法であって、
前記複数の属性における属性の１つ又はそれ以上の上位集合；或いは
検索アイテム全てのスコアを規定する有効値を有する１つ又はそれ以上の属性；
のみに対して、前記ユーザは前記明示的ユーザプロファイルの初期設定の間に評価値を生成する、ことを特徴とする方法。
【請求項１０】
請求項８に記載の方法であって、前記推薦システムは検索の間に前記複数の検索アイテムを評価する上で前記明示的ユーザプロファイルにおける現時点の値を使用する、ことを特徴とする検索システム。
【請求項１１】
請求項８に記載の方法であって、前記情報アイテムに関連する属性についての評価値を前記ユーザが入力することに対応して；
前記属性が前記明示的ユーザプロファイルにおいて前に評価されなかった場合、前記属性と関連する評価値が前記明示的ユーザプロファイルに加えられる；又は
前記属性が前記明示的ユーザプロファイルにおいて前に評価された場合、前記明示的ユーザプロファイルにおける前記属性に関連する評価値は更新される；
ことを特徴とする検索システム。
【請求項１２】
請求項８に記載の方法であって、前記制御器は、ユーザが：
前記情報アイテムに関連する属性全てに対して、もしあるとすれば、評価をみること；
前記明示的ユーザプロファイルにおいて評価値を前に有していない前記情報アイテムに関連する属性についての評価値を加えること；並びに
前記情報アイテムに関連する属性のための前記明示的ユーザプロファイルにおける既存の評価値を更新すること；
を可能にする、ことを特徴とする方法。
【請求項１３】
コンテンツに関するコンテンツ提案のリストと前記コンテンツに関する複数の情報アイテムと；
を有する信号であって、
前記コンテンツ提案のリストは、前記複数の情報アイテムの各々を評価する上で複数の属性についてのユーザ固有評価値を有する明示的ユーザプロファイルを用いることにより
生成され；
ユーザは、前記明示的ユーザプロファイルの初期設定の間に前記複数の属性の副集合のみについての評価値を与え；並びに
前記明示的ユーザプロファイルの初期設定の後、情報アイテムをみながら、前記ユーザは、前記アイテムに関連する前記複数の属性の各々についての評価値を選択的に操作することが可能である；
ことを特徴とする信号。
【発明の詳細な説明】
【技術分野】
【０００１】
本発明は、一般に、検索システムに関し、更に詳細には、特殊化されたユーザの嗜好に基づいて推薦を提供する検索システムに関する。
【背景技術】
【０００２】
ユーザの好きなものと嫌いなものとに基づいて、ユーザにアイテムを提案する種々の“推薦”ユーティリティは、テレビ番組、音楽、本又は他のアイテムを提案するために使用される。アイテムの提案において、そのような推薦は、特定のユーザのプロファイル、アイテムの関連性に関するユーザ非依存データ、又はそれら両方を用いることが可能である。映像番組、音楽、本及びゲームのようなエンターテインメントコンテンツに対して、ユーザの嗜好に非常にマッチするような提案は、好きなもの及び／又は嫌いなものについての明示的なユーザのプロファイルの少なくとも一部を用いて生み出される場合、推薦により提供されることが可能である。
【０００３】
明示的ユーザプロファイルを使用する推薦システムは、プロファイルが最初に生成されるとき、実質的なデータの量をユーザが入力する必要があり、このことは、しばしば、非常に困難であり及び／又は時間の掛かるものとなっている。ユーザが独立してコンテンツの名前又はタイトルを入力することを可能にする又は必要とするシステムは、プロファイル生成時に、提案が好適に基づく必要がある関連コンテンツ全部の名前を憶えることを試みるように強いるが、これは、不可能でない場合であっても、困難である。他方、ユーザのプロファイルをプピュレートするために選択が実行されることが可能であるユーザに対するコンテンツリストを表示するシステムは、典型的には、非現実的なサイズ（又は、適切な提案のないリスク）のリストを提供する。例えば、映像プログラムの推薦は、数万のアイテムを有するリストからユーザが選択することを要求することとなる。別の方法か又は２つの方法の組み合わせでさえも、過度にユーザに関して要求し、タスクにおいてユーザが費やしても構わないと思えるような時間以上に時間を必要とし、それ故、ユーザは満足できない。
【発明の開示】
【発明が解決しようとする課題】
【０００４】
従って、当該技術分野において、ユーザによる考慮に対して適切なアイテムの提案を生成する上で用いられる明示的プロファイルについてのアイテム固有情報を収集するための改善方法に対する要請が存在している。  
【課題を解決するための手段】
【０００５】
上記の先行技術の不具合に対処するために、本発明の主な目的は、検索システムにおける使用に対して、プロファイルの初期設定の間に、提案を生成するために推薦システムにより使用されることが可能である属性の全体的集合から１つ又はそれ以上の常に繰り返される属性及び／又は１つ又はそれ以上の属性の上位集合のみを、ユーザが評価する、明示的ユーザプロファイルを使用する推薦システムを提供することである。従って、いずれの時間に推薦システムが関連する対象のリストを見ながら、ユーザは、特定のリストアイテムに関連する属性全てについての個々の評価を見て、操作することが可能である。明示的プロファイルは、次いで、ユーザにより入力された新しい値をもつ現時点の評価値への置き換え、又は、アイテムと関連する評価値の追加により更新される。又、ユーザの視聴履歴に基づいて暗黙的評価により明示的プロファイルを補うことが可能である。特定のタイプのコンテンツについてのユーザの使用が所定の閾値を上回るとき、そのようなコンテンツの属性は明示的プロファイルに自動的に加えられることが可能である。
【０００６】
前記は、当業者が以下に続く本発明の詳細説明をより理解することができるように、本発明の特徴及び技術的優位性をかなり広く概観したものである。本発明の請求項の主題を構成する本発明の追加の特徴及び優位性について、以下に説明することとする。当業者は、当業者が本発明の同じ目的を実行するために他の構成をデザインする又は修正することが容易に可能であることを理解するであろう。当業者は又、そのような同等な構成が、本発明の最も広い構成についての範囲及び主旨から逸脱するものではないことを認識するであろう。
【０００７】
下の、発明を実施するための最良の形態を理解する前に、本発明の明細書を通して用いる特定の用語又は表現についての定義について説明することは都合がよい。“有する”及びこの用語から派生したことばは、有することを意味するが、これに限定されるものではない。用語“関連する”及びこの用語から派生したことばは、有する、内部に有する、相互関連する、接続する、結合する、伝達可能である、協働する、インタリーブする、並列する、近接する、隣接する、所有する、及び／又は、属性を有する、を意味するが、これに限定されるものではない。用語“制御器”は、少なくとも１つの操作を制御する、装置、システム又はそれらの一部であって、そのような装置は、ハードウェア、ファームウェア、ソフトウェア又はそれらの少なくとも２つの任意の組み合わせを意味する。いずれの特定の制御器に関連する機能性は、集中させること又は分散させることが可能であり、近くに置くことも遠くに置くことも可能である。特定の用語及び表現についての定義は本発明の明細書を通して用いられ、当業者は、そのような定義が、多くの場合であって、殆どの場合でないにしても、そのような定義された用語及び表現を上記の及び下記の例に適用することを理解するであろう。
【発明を実施するための最良の形態】
【０００８】
以下に説明するような図１乃至３、及び本明細書における本発明の原理を説明するために用いる種々の実施形態は、単に例示としてであって、本発明の範囲を限定するために多少なりとも解釈されるべきものではない。当業者は、本発明の原理がいずれかの適切に配列された装置において実施されることが、理解するであろう。
【０００９】
図１は、本発明の一実施形態に従った明示的プロファイルをポピュレートするためのユーザの選択を用いるコンテンツ受信システムを示している。コンテンツ受信システム１００において、制御器１０２は、放送設備或いは放送又はインターネットコンテンツサーバ、並びに随意的な関連コンテンツのような１つ又はそれ以上の外部ソースから利用可能なコンテンツに関する情報を少なくとも受信する。従って、制御器１０１は、テレビ、衛星放送デコーダユニット、地上放送デコーダユニット又はケーブル放送デコーダユニット等の映像受信器１１０において、地上無線受信器、衛星無線受信器、コンパクトディスクプレーヤ又はデジタルオーディオプレーヤ等のオーディオ受信器１１１において、或いは、セットトップボックス、パーソナルコンピュータ等のインターネットアクセス装置１１２において、実施されることが可能である。従って、制御器１０１は、１つ又はそれ以上の映像受信器１１０、オーディオ受信器１１１、インターネットアクセス装置１１２及びオプションとして含まれる一体型表示装置等を制御するために適合されるリモート制御装置１１３に実施されることが可能である。制御器１０１は又、映像受信器１１０、音声受信器１１１、インターネットアクセス装置１１２及びリモート制御装置１１３を構成する２つまたはそれ以上の装置内に配置される種々の部分を用いて、分散方式で実施されることが可能である。
【００１０】
しかしながら、実施されるコンテンツ受信システム制御器１０１は、少なくとも１つ又はそれ以上の外部ソースから利用可能なコンテンツに関する情報を受信するための入力１０２を有し、コンテンツ、制御信号及び／又はユーザインタフェースデータを受信器、表示装置又は記録装置に送信するための出力１０３を有してもよい。
【００１１】
当業者は、コンテンツ受信システムの全部の構成及び動作については、ここでは、図示せず又は説明しないことを理解するであろう。それに代えて、簡単化及び明確化のために、本発明に特異であるか又は本発明のために必要であるようなコンテンツ受信システム制御器の構成及び動作と本発明の理解のみについて図示し、説明することとする。制御装置の残りの構成及び動作については、当該技術分野において知られている従来の方法に従うことが可能である。更に、映像受信器、音声受信器、インターネットアクセス装置及びリモート制御装置を、例示としての実施形態において使用するが、ここで説明する機能が、例えば、ゲーム装置のような他のタイプの装置に容易に適合することが可能であり、それ故、コンテンツの他のフォームを使用することが可能であることを当業者は理解するであろう。
【００１２】
例示としての実施形態において、コンテンツ受信システム制御器１０１は、推薦モジュール又は機能性１０５を有する制御アルゴリズム又はプログラマブル論理回路１０４を有する。制御器１０４に通信可能であるように結合されたユーザインタフェース１０６は、例えば、赤外線リモート制御器、タッチスクリーン又は入力ボタンからのユーザ入力を可能にする。ユーザインタフェース１０６は表示装置を有することが可能であり、或いは又、制御器１０１は離れた表示装置に結合されることが可能である。例示としての実施形態における制御器１０１は又、メモリ１０７であって、好適には不揮発性メモリを有する。メモリ１０７は、利用可能なコンテンツ（例えば、プログラム案内）についての受信された情報１０８を随意に保存するために、及び１つ又はそれ以上のユーザプロファイル１０９を保存するために、有する。ユーザプロファイル１０９は、各々のアイテムに関連して、それぞれのアイテムに対するユーザの評価値とアイテムタイプとを有するユーザ嗜好の明示的プロファイルである。推薦１０５と明示的ユーザプロファイル１０９は、勿論、制御器１０１からリモートシステムに位置付けられ、制御器１０１に提案を送信することが可能である。
【００１３】
本発明においては、プロファイル生成と同時に各々の個々のアイテムについての評価値をユーザが選択することを要求するのではなく、ユーザの明示的プロファイル（即ち、アイテム全てについての評価値）は、現時点の選択されたコンテンツに基づいて、時間の経過と共に段階的方式で、生成され且つ修正されることが可能である。
【００１４】
図２Ａ乃至２Ｃは、本発明の一実施形態に従った明示的プロファイルをプピュレートするためにユーザの選択を使用するコンテンツ受信システム制御器のためのユーザインタフェース表示のモックアップを示している。示しているユーザインタフェースは、例えば、図１に示した制御器１０１により用いられる。図２Ａは、明示的ユーザプロファイルの初期の生成の間に使用されるユーザインタフェース表示のモックアップを示している。ユーザインタフェース表示２００において表示されるユーザ制御は、明示的ユーザプロファイルを見て、生成して又は修正するための制御２０１であり、１つ又はそれ以上のプロファイル選択制御２０２により選択されることが可能である。一般に、例示としての実施形態におけるユーザ制御全てと同様に、アクティブ又は現時点で選択されたユーザプロファイルに関連する選択制御２０２ａはハイライトされる、或いは又アピアランスにおいて区別される。
【００１５】
明示的ユーザプロファイルの初期生成の間に、ユーザは、推薦を生成する上で利用されるアイテムの１つ又はそれ以上の上位集合のみを評価するオプションを表示し、ここで、上位集合は、アイテムに直接的に又は間接的に関連することが可能である。テレビ放送を含む例示としての実施形態において、推薦を生成する上で利用される特定のアイテムは、例えば、テレビのショー又は映画のタイトル、俳優、監督、作者、プロデューサ等を有する。しかしながら、明示的ユーザプロファイルを生成する上で、ユーザは、テレビ放送のチャンネル及びジャンルについての評価を間単位入力する。チャンネル２０３及びジャンルのリストは、各々のチャンネル及び／又はジャンル並びにオプションとしてのデフォルト評価値（例えば、表示サンプルにおけるユーザの一般的嗜好に基づく）についてのユーザの評価の入力又は他の操作を可能にするユーザ制御により、個別に表示される。
【００１６】
次いで、チャンネル及びジャンルについてユーザにより入力された初期評価は、ユーザにより変更されるまで、コンテンツの提案を生成するために推薦システムにより用いられる。例えば、最も高い総合評価（総計又は平均）を有するコンテンツを決定することにより、及び／又は、最も高い総計又は平均の評価値を有するコンテンツとしての共通特性（例えば、同じジャンル）を有するコンテンツを決定することにより、既知の技術に従って、適切な提案を特定することが可能である。
【００１７】
例示としての実施形態において０から１００までの数値評価を用いる一方、例えば、負の評価の割り当てはユーザが嫌いなことを反映するようにするシステム、狭い評価範囲を有するシステム及び／又はユーザが図形的に評価値を選択することを可能にするシステム
（例えば、“満たされた”円形又はバーの部分を制御することによる）を有する、他の評価システムを適切に用いることが可能である。
【００１８】
図２Ｂは、コンテンツの通常の選択及び視聴の間のユーザインタフェース表示を示している。ユーザ制御２１１は、ユーザが特定のコンテンツに対して現時点で利用可能なプログラムを検索することを可能にするユーザインタフェース表示２１０において提供される。利用可能なコンテンツ又は検索基準にマッチングするコンテンツのリスト２１２は、各々のプログラムに対する、関連する総計又は平均評価値と共に表示される。リスト２１２においてプログラムを選択することにより、ユーザは、選択されたプログラムに関する追加情報（例えば、より詳細な説明）を見ることが可能であり、及び／又は、選択されたプログラムに対する詳細な評価及び／又は選択されたプログラムに関連する１つ又はそれ以上のアイテムを見るためにユーザ制御２１３にアクセスすることが可能である。
【００１９】
図２Ｃは、通常の選択の間に明示的ユーザプロファイルからの評価の修正及びコンテンツを見ている間のであって、ユーザプロファイルの初期生成の後のユーザインタフェース表示２２０を示している。現時点で利用可能な特定のプログラム２１２ａに関する詳細情報を見ている間に制御２１３を動作させることにより、ユーザは、各々の属性についての現時点の評価値と共に、そのプログラム２１２ａに関連する各々の明示的ユーザプロファイル属性（又は、アイテム）の表示２２１をトリガすることが可能である。示している例において、選択されたプログラムは、タイトル、カテゴリ、チャンネル、俳優及び監督に関連している。作者、プロデューサ等のような他のカテゴリは又、オプションとして追加することが可能である。
【００２０】
例示としての実施形態において、リスト２２１における評価値表示自体が、対応する属性に関連する評価値の修正を開始するためのユーザ制御である。そのユーザ制御を動作させることにより、ユーザは選択されたプログラムの特定な属性の評価を操作し、それ故、フィードバックインタフェースにより現時点のユーザのための明示的ユーザプロファイルを修正することが可能である。
【００２１】
従って、例示としての実施形態において、ユーザは、図２Ｂのユーザインタフェース表示２１０における現時点の９０である総合評価値を有する現時点で選択されたプログラムについてのプログラムタイトル“Ｃｌｅｏｐａｔｒａ（クレオパトラ）”を示され、選択されたプログラムに関する詳細な評価の内訳をみるためにユーザ制御２１３を操作する。９０の総合評価を生成する複数の値である、選択されたプログラムに関連する各々のアイテムについての現時点の評価が、それ故、図２Ｃのユーザインタフェース表示２２０において表示される。
【００２２】
“チャンネル”及び“カテゴリ”のアイテムは、ユーザが初期に明示的プロファイルを生成したときに、すでに明確に評価されたが、ここで、ユーザにより変更されることが可能である。それ故、ユーザは、これらの追加のアイテムについての評価を入力することが可能であり、それ故、これらの追加のアイテムが現時点のユーザについての明示的プロファイルに追加される。
【００２３】
ユーザによるマニュアル評価は又、ユーザによる直接介在を伴わないで、ユーザの視聴履歴から導き出される暗黙的プロファイル調節により補われることが可能である。例えば、ユーザが利用可能なコンテンツの中から特定のプログラムを繰り返して選択するとき、そのプログラムに関連する属性（又は、“非常に使用されたコンテンツ”）は所定の評価値をもつ明示的プロファイルに自動的に追加されることが可能であり、又は、そのような属性についての既存の評価は、例えば、そのプログラムが詮索された回数に基づいて修正されることが可能である。暗示的評価から明示的プロファイルへ移行するための閾値は、ユーザの視聴履歴に基づいている。その閾値は、関連するプログラムがユーザにより選択された回数とすることが可能であり、又は、ユーザの選択の１つ又はそれ以上の上位の値をもつブラケット（ｂｒａｃｋｅｔ）であって、各々が関連する評価を有するブラケットを用いることが可能である。ユーザの視聴履歴のスライディングウィンドウは、明示的プロファイルに関する属性が取り除かれるようにするために、用いられ、全体的なプロファイルのサイズを減少させることが可能である。もはや、特定のタイプのコンテンツがユーザに恒常的に使われなくなったとき、そのようなコンテンツに関連する属性は明示的プロファイルから取り除かれることが可能である。
【００２４】
図３は、本発明の一実施形態に従ったユーザの提案による明示的ユーザプロファイルを生成し且つ修正するプロセスのための高水準のフローチャートを示している。プロセス３００は、提案を生成する上で用いるために、検索範囲（例えば、利用可能なチャンネルリスト）を規定する１つ又はそれ以上の常に繰り返す属性、又は１つ又はそれ以上のアイテムの上位集合についてのユーザの評価に基づいて、明示的ユーザプロファイルから開始する（段階３０１）。
【００２５】
このプロセスは、先ず、現時点で利用可能なプログラムの一般化レビュー又はコンテンツマッチング選択基準についての特殊化検索とすることが可能である、ユーザの検索の開始を待つ（段階３０２）。いずれのリクエストされた検索が、必要に応じて、明示的ユーザプロファイルにおける既存の評価を用いて、実行され（段階３０３）、結果的に得られたマッチングが明示的プロファイルからの少なくとも関連する総合評価を用いて表示される（段階３０４）。
【００２６】
次いで、このプロセスは、ユーザによる結果リストにおいて表示されたアイテムの選択をチェックし（段階３０５）、又は、ユーザによる表示のクリアを行う（段階３０６）。結果リストにおいて表示されたプログラムがユーザにより選択されるとき、そのプログラムに関する追加の詳細が、選択されたプログラムについての詳細な評価をみるためにユーザ制御と共に表示される（段階３０７）。選択されたプログラムについての詳細な評価の内訳を見るためのユーザ制御が動作する（段階３０８）場合、評価することが可能である選択されたプログラムに対するアイテム全ては、それらのアイテムに対して、もしある場合、現時点の評価と共に表示される（段階３０９）。
【００２７】
次いで、ユーザが、選択されたプログラムに対する詳細の表示アイテムの１つについて評価変更のリクエストを開始する（段階３１０）場合、評価されたアイテムと関連する値を加えることにより、又は、そのアイテムの既存の評価値とユーザにより入力された新しい値に置き換えることにより、明示的プロファイルは更新される（段階３１１）。ユーザは、選択されたプログラムに関連し且つそれら全部を含むるいずれの数のアイテムを操作することが可能である。
【００２８】
このようにして、明示的プロファイルは、アイテムの追加及び関連する評価により又は既存の評価の更新又は修正により、時間の経過と共により正確になる。又、推薦システムにおける特定のユーザの視聴傾向に関する自動的に捕捉された“履歴”データに関連して、明示的プロファイルを用いることが可能である。更に、推薦システムは、明示的プロファイルにおけるアイテムについての評価の修正又は明示的プロファイルに対するアイテムのユーザの追加を促したプログラムコンテキストのような、評価の変化に関するメタデータを記録により維持し、それ故、明示的プロファイルに基づいて、特定のマッチングの適合性を評価するうえでのそのようなメタデータを実質的に利用する。
【００２９】
例示としての実施形態はテレビのプログラムに対する推薦システムに関連しており、当業者は、購入提案を作成する推薦システム等のような他の推薦システムに本発明の技術を容易に適合することが可能であることを認識するであろう。
【００３０】
本発明は、推薦システムのための明示的プロファイルが提案を生成する上で用いられるアイテムの上位集合に対する初期評価に基づいて時間の経過と共に段階的に生成されることを可能にし、いずれの介在するユーザの修正が追加アイテムを追加し又は評価を変える
ことを可能にする。それ故、ユーザは、明示的プロファイルを初期に生成するとき、全ての関連アイテムを憶えている必要がなく、長いリストにおける各々のアイテムに対して応じることができる。そして又、ユーザは、特定のアイテム又はそれらの側面を彼等の好き嫌いについての理由をプロファイルの初期設定と同時に思い出す必要もない。又、ユーザは、関連プログラムコンテンツにおいて遭遇したとき、アイテムに対して簡単に反応し、彼等の好き嫌いが基づくコンテキストにおける評価を入力することが可能である。
【００３１】
以上、本発明について、十分機能的なシステムとの関連で説明したが、少なくとも本発明の機構の一部が種々のフォームの指令を有する機械使用可能媒体のフォームに分配されることが可能であり、本発明はその分配を実際に実行するために利用される特定タイプの信号担持媒体に関係なく同様に適用されることに留意することは重要であり、これについて、当業者は理解するであろう。機械使用可能媒体の例は、読み出し専用メモリ（ＲＯＭ）又は消去可能の電気的消却プログラム可能型読取専用メモリ（ＥＥＰＲＯＭ）のような不揮発性のハードコード化タイプ媒体、フロッピー(登録商標)ディスク、ハードディスクドライブ、ＣＤ−ＲＯＭ又はＤＶＤのような記録可能タイプ媒体、及びデジタル通信リンク及びアナログ通信リンクのような送信タイプ媒体を有する。
【００３２】
本発明について詳述したが、以上、説明した本発明の種々の変形、置き換え、多種、エンハンスメント、ニュアンス、階調、少ないフォーム、変更、改良及び類似は、本発明の広い形態において本発明の範囲及び主旨から逸脱することなく、実行されることが可能であることを、当業者は理解するであろう。
【図面の簡単な説明】
【００３３】
【図１】本発明の一実施形態に従った、明示的プロファイルをポピュレートするためのユーザ選択を用いるコンテンツ受信システムを示す図である。
【図２Ａ】本発明の一実施形態に従った、明示的プロファイルをポピュレートするためのユーザ選択を用いるコンテンツ受信システム制御器のためのユーザインタフェース表示装置のモックアップを示す図である。
【図２Ｂ】本発明の一実施形態に従った、明示的プロファイルをポピュレートするためのユーザ選択を用いるコンテンツ受信システム制御器のためのユーザインタフェース表示装置のモックアップを示す図である。
【図２Ｃ】本発明の一実施形態に従った、明示的プロファイルをポピュレートするためのユーザ選択を用いるコンテンツ受信システム制御器のためのユーザインタフェース表示装置のモックアップを示す図である。
【図３】本発明の一実施形態に従った、ユーザの提案による明示的ユーザプロファイルを生成する及び修正するプロセスのための高水準のフローチャートである。
【図１】
2005515573.tif 000003
【図２Ａ】
2005515573.tif 000004
【図２Ｂ】
2005515573.tif 000005
【図２Ｃ】
2005515573.tif 000006
【図３】
2005515573.tif 000007
【国際調査報告】
2005515573.tif 000008
2005515573.tif 000009